(57)【特許請求の範囲】
【請求項１】
複数種類の文字情報が、それぞれの表示レベルと共に記憶された情報記憶手段と、
演奏曲の曲データと該曲データ中の表示レベルの変化とを記憶する曲データ記憶手段と、
前記情報記憶手段から文字情報を読み出し、文字情報をモニタ画面に表示し得る表示手段と、
前記曲データ記憶手段から曲データを読み出し、演奏曲を再生する演奏手段と、
前記演奏手段による演奏曲再生中の曲データのレベル変化と、前記情報記憶手段に記憶された文字情報のレベルとを比較するレベル比較手段と、が備えられた楽音再生装置において、
前記表示手段が、前記レベル比較手段による比較結果に基づき、曲データ中のレベルを越える１以上の前記文字情報をモニタ画面に表示することを特徴とする楽音再生装置。
【請求項２】
複数種類の文字情報が、それぞれの表示レベル及びモニタ画面上の表示指定位置に併せて記憶された情報記憶手段と、
演奏曲の曲データと該曲データ中の表示レベルの変化とを記憶する曲データ記憶手段と、
前記情報記憶手段から文字情報を読み出し、文字情報をモニタ画面に表示し得る表示手段と、
前記曲データ記憶手段から曲データを読み出し、演奏曲を再生する演奏手段と、
前記演奏手段による演奏曲再生中の曲データのレベル変化と、前記情報記憶手段に記憶された文字情報のレベルとを比較するレベル比較手段と、が備えられた楽音再生装置において、
前記表示手段が、前記レベル比較手段による比較結果に基づき、曲データ中のレベルを越える１以上の前記文字情報を当該文字情報の前記表示指定位置に合わせてモニタ画面に表示することを特徴とする楽音再生装置。
【発明の詳細な説明】
【０００１】
【発明の属する技術分野】
本発明は、背景映像および歌詞の字幕映像をモニタ画面に表示するとともに、楽音をスピーカにより再生する楽音再生装置であって、上記背景映像および歌詞の字幕映像以外の情報映像をモニタ画面に表示するカラオケ装置として好適なものに関する。
【０００２】
【従来の技術】
従来のカラオケ装置では、歌詞の字幕映像と背景映像とをモニタ画面上に表示することが行われていたが、最近では、予約曲の状況や、天気予報やニュースなどのカラオケ以外の情報をモニタ画面上に表示するものが出現している。
ところが、通常のカラオケ装置では、モニタは１台しかないため、カラオケの映像が表示されている場合には、上記予約曲、天気予報などの他の情報を表示することができないという問題がある。
そこで、従来、上記問題を解決するため、モニタ画面を全画面表示と分割画面表示とに切り換え得るようにして、全画面表示が選択されているときには、図４（Ｂ）に示すようにカラオケの背景映像を表示して、その一部に予約曲の情報映像を表示し、また、分割画面表示が選択されているときには、モニターの画面を例えば図６（Ａ）に示すように４分割し、それぞれの分割画面に種々の情報映像を表示している。
【０００３】
【発明が解決しようとする課題】
しかしながら、上記従来のものでは、全画面表示が選択されているときは、１つの情報映像しか表示できず、また、分割画面表示が選択されているときには、複数の情報映像を表示し得るものの、カラオケ用の映像が大きく表示できないという課題があった。
【０００４】
そこで、本発明は、上記問題を解決するためになされたものであり、カラオケ用の背景映像の表示中に、状況に応じて複数の情報映像を合わせて表示し得る楽音再生装置を提供することを目的とする。
【０００７】
【課題を解決するための手段】
本発明は上記目的を達成するため、請求項１に記載の楽音再生装置では、複数種類の文字情報が、それぞれの表示レベルと共に記憶された情報記憶手段と、
演奏曲の曲データと該曲データ中の表示レベルの変化とを記憶する曲データ記憶手段と、
前記情報記憶手段から文字情報を読み出し、文字情報をモニタ画面に表示し得る表示手段と、
前記曲データ記憶手段から曲データを読み出し、演奏曲を再生する演奏手段と、
前記演奏手段による演奏曲再生中の曲データのレベル変化と、前記情報記憶手段に記憶された文字情報のレベルとを比較するレベル比較手段と、が備えられた楽音再生装置において、
前記表示手段が、前記レベル比較手段による比較結果に基づき、曲データ中のレベルを越える１以上の前記文字情報をモニタ画面に表示することを技術的特徴とする。
【０００８】
請求項２に記載の楽音再生装置では、複数種類の文字情報が、それぞれの表示レベル及びモニタ画面上の表示指定位置に併せて記憶された情報記憶手段と、
演奏曲の曲データと該曲データ中の表示レベルの変化とを記憶する曲データ記憶手段と、
前記情報記憶手段から文字情報を読み出し、文字情報をモニタ画面に表示し得る表示手段と、
前記曲データ記憶手段から曲データを読み出し、演奏曲を再生する演奏手段と、
前記演奏手段による演奏曲再生中の曲データのレベル変化と、前記情報記憶手段に記憶された文字情報のレベルとを比較するレベル比較手段と、が備えられた楽音再生装置において、
前記表示手段が、前記レベル比較手段による比較結果に基づき、曲データ中のレベルを越える１以上の前記文字情報を当該文字情報の前記表示指定位置に合わせてモニタ画面に表示することを技術的特徴とする。
【００１１】
【作用】
請求項１の発明では、複数種類の文字情報が、それぞれの表示レベルと共に情報記憶手段に記憶されている。また、演奏曲の曲データと該曲データ中の表示レベルの変化とが曲データ記憶手段に記憶されている。ここで、楽音再生装置の動作中は、演奏手段が、曲データ記憶手段から曲データを読み出して演奏曲を再生する。また、レベル比較手段が、演奏手段による演奏曲再生中の曲データのレベル変化と、情報記憶手段に記憶された文字情報のレベルとを比較する。これと同時に、表示手段が、情報記憶手段から文字情報を読み出し、レベル比較手段による比較結果に基づき、曲データ中のレベルを越える１以上の文字情報をモニタ画面に表示する。このため、演奏曲の進行に合わせて、１以上の文字情報をモニタ画面に表示することが可能となる。
【００１２】
請求項２の発明では、複数種類の文字情報が、それぞれの表示レベル及びモニタ画面上の表示指定位置に併せて情報記憶手段に記憶されている。また、演奏曲の曲データと該曲データ中の表示レベルの変化とが曲データ記憶手段に記憶されている。ここで、楽音再生装置の動作中は、演奏手段が、曲データ記憶手段から曲データを読み出して演奏曲を再生する。また、レベル比較手段が、演奏手段による演奏曲再生中の曲データのレベル変化と、情報記憶手段に記憶された文字情報のレベルとを比較する。これと同時に、表示手段が、情報記憶手段から文字情報を読み出し、レベル比較手段による比較結果に基づき、曲データ中のレベルを越える１以上の文字情報を当該文字情報の表示指定位置に合わせてモニタ画面に表示する。このため、演奏曲の進行に合わせて、１以上の文字情報をモニタ画面の指定位置に表示することが可能となる。
【００１３】
【発明の実施の形態】
以下、本発明の楽音再生装置の一実施形態について図を参照して説明する。
なお、以下の実施形態では、楽音再生装置として、通信回線を利用して曲を提供する、いわゆる通信カラオケ装置を代表に説明する。
図１は、本発明第１実施形態のカラオケ装置の主要構造を示す外観説明図、図２（ａ）は、図１に示すカラオケ装置に備えられた制御装置の前面パネルの説明図、同図（ｂ）は、制御装置の背面パネルの説明図、図３は、カラオケ装置の制御系の構成を示すブロック図である。
【００１４】
図１に示すように、カラオケ装置１０には、カラオケ用の映像、および天気予報、ニュースなどの他の情報映像を表示する表示手段としての、ＣＲＴモニタ（以下、ＣＲＴと略称する）２０と、リクエスト曲の設定、音程の変更（キーチェンジ）などの音声制御、ならびに、映像の切替え、合成、分割などの映像制御を行う制御装置３０と、この制御装置３０から出力される音声信号の増幅、マイク７０から入力される音声とカラオケ曲とのミキシング、音声とカラオケ曲との音量バランス、高音、低音の制御（トーンコントロール）などを行うアンプ４０と、カラオケ用の背景映像が光情報として記憶された背景映像記憶手段としてのレーザーディスクプレーヤ（以下、ＬＤプレーヤと略称する）５０と、アンプ４０から出力される音声信号を音として再生する１組のスピーカ６０，６０とが備えられている。
【００１５】
次に、制御装置３０の構成について図２を参照して説明する。
図２（ａ）に示すように、制御装置３０の前面パネル３０ａには、利用者がリクエストする曲の番号などを入力するためのプッシュボタン３１が設けられている。このプッシュボタン３１は、０〜９までのテンキーおよびＡ〜Ｆまでのアルファベットキーから構成される選曲キー３１ａと、この選曲キー３１ａによって入力された曲番号を選択（確定）するための曲選択ボタン３１ｂと、選曲キー３１ａによって入力された曲番号の訂正を行うための訂正ボタン３１ｃと、ＣＲＴ２０の画面に表示される映像を全画面表示と分割画面表示とに切り替えるための画面切替ボタン３１ｄとから構成されている。
【００１６】
また、選曲キー３１ａの左方には、選曲キー３１ａによって入力される内容を７ｓｅｇ．ＬＥＤによって表示する曲番号表示体３２と、マイク７０のジャックを差し込むマイク端子３３とが設けられている。なお、本カラオケ装置１０は、ワイヤレスリモコン（図示省略）によっても作動するようになっており、前面パネル３０ａには、ワイヤレスリモコンから送られる光信号を受ける受光部３０ｃが設けられている。
【００１７】
一方、図２（ｂ）に示すように、制御装置３０の背面パネル３０ｂには、カラオケ用の音楽信号および字幕映像信号から構成される曲データを受信するための電話回線８０（図３参照）を接続する電話回線接続端子３４が設けられており、その右方には、ＬＤプレーヤ５０の映像出力端子（図示省略）と接続されるカラオケ映像入力端子３５ａが設けられている。
【００１８】
この映像入力端子３５ａの右側には、天気予報、ニュース、カラオケのリクエストの上位ランキング、店側側から提供されるサービスの内容（例えば、おすすめメニュー）等の情報を受信するための情報信号コード８１（図３参照）を接続する情報入力端子３５ｂが設けられており、その右側には、ＣＲＴ２０の映像入力端子（図示省略）と接続される映像出力端子３５ｃが設けられている。また、背面パネル３０ｂの左端には、アンプ４０の音声入力端子（図示省略）と接続される音声出力端子３６が設けられている。
【００１９】
次に、上記制御装置３０の制御系の構成について図３を参照して説明する。
制御装置３０には、音声および映像の入出力を制御するＣＰＵ３７ａが備えられており、このＣＰＵ３７ａには、上記プッシュボタン３１および曲番号表示体３２が接続されている。また、ＣＰＵ３７ａには、電話回線８０から入力される上記曲データを入力して、デジタル信号に変換するモデム３７ｂと、ハードディスク３８とが接続されている。
【００２０】
このハードディスク３８には、ＣＰＵ３７ａの動作が記述されたプログラムメモリ領域３８ａと、上記モデム３７ｂから出力される曲データを蓄積し、字幕映像記憶手段として機能する曲データメモリ領域３８ｂと、後述する表示指定データを保持する表示指定データメモリ領域３８ｃが備えられている。また、ＣＰＵ３７ａには、曲データメモリ領域３８ｂに蓄積された曲データ中の音楽データを入力して、アンプ４０によって増幅可能なアナログの音楽信号に変換する音楽演奏回路３７ｃが接続されている。
【００２１】
さらに、ＣＰＵ３７ａには、ＬＤプレーヤ５０から出力される背景映像データと、曲データ３８ｂ中の字幕映像データと、情報記憶手段として本体外部に設けられた情報データ記憶装置９２から情報信号コード８１を介して送信される情報データとを入力し、それら各映像の切替え、合成および分割などを行う表示手段としての映像処理回路３９が接続されている。この映像処理回路３９の詳細な構成および動作については、次のカラオケ装置１０の動作説明の中で述べる。
【００２２】
次に、上記構成のカラオケ装置１０の一連の動作について図１ないし図３を参照して説明する。
演奏曲の曲データについては、夜間にホストコンピュータ８２から電話回線８０を介して転送され、通信用モデム３７ｂによってデジタル信号に変換された後にハードディスク３８内の曲データメモリ領域３８ｂに予め蓄積されている。ここで、利用者が、カラオケ装置１０の電源スイッチをＯＮすると、ＣＲＴ２０、制御装置３０、アンプ４０およびＬＤプレーヤ５０が起動する。
【００２３】
そして、利用者が、制御装置３０の前面パネル３０ａに設けられた選曲キー３１ａおよび曲選択ボタン３１ｂを操作して歌いたい曲の曲番号を設定すると、制御装置３０のＣＰＵ３７ａが、ハードディスク３８のプログラム領域３８ａ内の制御プログラムに従ってハードディスク３８内の曲データ３８ｂの中から上記設定された曲番号に対応する曲データを読出し、その読出した曲データ中の字幕映像データを映像処理回路３９へ、音楽データを音楽演奏回路３７ｃへそれぞれ出力する。
【００２４】
一方、ＬＤプレーヤ５０では、その中に記憶された複数の背景映像データの中から１つの背景映像がランダムに選択され、この選択された背景映像データは、映像入力端子３５ａを介して映像処理回路３９に入力される。そして、映像処理回路３９に入力された上記字幕映像データおよび背景映像データは、映像合成回路３９ａ（図４参照）によって合成される。その合成は、たとえば、図４（Ａ）に示すように、背景映像９０の中に字幕映像（テロップ）９１がスーパーインポーズされるように行われる。
【００２５】
また、マイク７０から入力された音声は、音声信号となって制御装置３０を介してアンプ４０に設けられたマイクミキシング回路（図示省略）に入力され、上記音楽信号とミキシングされる。そして、音楽演奏回路３７ｃに入力された音楽データは、アナログの音楽信号に変換されて音声出力端子３６を介してアンプ４０へ出力され、このアンプ４０により増幅された後にスピーカ６０，６０へ出力され、両スピーカ６０，６０によって音楽信号および音声信号が再生される。
このように、利用者は、自分の選曲した歌をＣＲＴ２０の画面に映し出された背景映像および字幕映像を見ながらマイク７０を通して歌う（カラオケする）ことができる。
【００２６】
本発明の第１実施態様のカラオケ装置１０においては、演奏曲の進行に合わせてカラオケ用の背景画に加えて１以上の文字情報（リクエスト曲、カラオケランキング、お店のおすすめメニュー、天気予報等）を表示し得る。すなわち、客がカラオケを歌唱している最中（ここでは、ＣＲＴの背景画中にテロップが表示されている）には、全く文字情報を表示しないか、或いは、１種類の文字情報を表示し、また、客がカラオケを歌唱していないときには（ここでは、ＣＲＴの背景画中にテロップが表示されていない）、２種類以上の文字情報を表示し得るように構成されている。
【００２７】
ここでは、カラオケ店側で行う表示指定データの設定処理について、図７及び図８を参照して説明する。この処理は、カラオケ装置１０とは別体に設けられた図示しないコンピュータ等の情報処理装置を用いて行う。ここでは、客が図７（Ａ）に示す内容の演奏曲を予約しているものとする。また、図７（Ｂ）に示すようにカラオケ装置１０内のメモリには、情報１としてレベル１が設定された情報１データ（上記カラオケ装置１０の予約曲）が、また、図３に示す情報データ記憶装置９２には、情報２としてレベル３が設定された情報２データ（カラオケランキング１０ページ分）が、更に、情報３としてレベル３が設定された情報３データ（お店のおすすめメニュー３ページ分）が保持されているものとする。
【００２８】
まず、カラオケ店の操作者は、コンピュータに情報データ記憶装置９２からのデータを読み込み（Ｓ１２）、それぞれのデータ（図７（Ｂ）に示す情報１乃至情報３）に対して、図７（Ｃ）に示すような情報番号、エリア、表示レベルから成る表示指定データを作成する。指定データを作成する際には（Ｓ１４がＹｅｓ）、まず、情報のレベルを指定する（Ｓ１８がＹｅｓ）。ここでは、図７（Ｂ）に示す情報１データ（カラオケ装置１０からの予約曲）に対して、表示レベルとして“３”を書き込んだものとする（Ｓ２０）。次に、情報番号を指定する（Ｓ２２がＹｅｓ）、ここでは、該情報１データに情報番号１を指定したものとする（Ｓ２４）。最後にエリア番号を指定する（Ｓ２６がＹｅｓ）。このエリア番号は、図６（Ｂ）に示すように、ＣＲＴ２０の画面を４分割し、右上を第１エリア２０ａ、左上を第２エリア２０ｂ、右下を第３エリア２０ｃ、左下を第４エリア２０ｄとして定められており、ここでは、第１エリア（エリア番号１）を指示したものとする。
【００２９】
この処理を情報２データ（カラオケランキング１０ページ分）に対しても行い、当該情報２データ用の表示指定データとして、情報番号：２、エリア：２、表示レベル：２を設定したものとする。同様に、情報３データ（お店のおすすめメニュー３ページ分）に対して情報番号：３、エリア：３、表示レベル：１を設定したものとする。表示を欲する全ての情報データについて表示指示データを作成することにより（Ｓ１６がＹｅｓ）、この表示指定データの設定処理が完了する。この作成された表示指示データは、店内の各カラオケ装置１０に転送され、ハードディスク３８の表示指示データメモリ領域３８ｃに保持される。
【００３０】
次に、上述した指定データ設定処理によって作成された表示指示データに基づく、カラオケ装置１０によるＣＲＴ２０の画面の表示処理について説明する。
制御装置３０の前面パネル３０ａに設けられた画面切替ボタン３１ｄを押すと、映像処理回路３９に設けられた映像切替回路３９ｂが作動し、映像処理回路３９から映像出力端子３５ｃへ出力される映像信号の種類が全画面表示へ切り替えられる。この全画面表示中の画像再生の処理について図９のフローチャートを参照して説明する。
【００３１】
まず、カラオケ用の背景画をＣＲＴ２０の全画面に表示する（Ｓ３２）。そして、図７（Ｃ）を参照して上述した全ての表示指定データを取り込んだ後（Ｓ３４）、図７（Ｂ）に示す情報データを内蔵のメモリ及び図３に示す情報データ記憶装置９２から取り込む（Ｓ３６）。その後、曲データのレベルを取り込み、このレベルを指定レベルとする（Ｓ３８）。ここで、曲データの構成を図７（Ｄ）に示す。曲データは、演奏曲再生用のデータに付帯させて表示レベルが指示されている。即ち、曲の再生が開始されてから客がカラオケの歌唱を始める以前（ＣＲＴの背景画中にテロップが表示される前）の演奏データ（前奏）には、表示レベル２が設定され、客がカラオケを歌唱するとき（ＣＲＴの背景画中にテロップが表示される）の演奏データ（歌唱部）には、表示レベル３が設定され、更に、カラオケの歌唱の中断するとき（ＣＲＴの背景画中にテロップが表示されない）の演奏データ（間奏）には、表示レベル１が設定されている。
【００３２】
ここで、曲の再生が開始されてから客がカラオケの歌唱を開始する以前には（即ち、演奏データ（前奏））、上記ステップ３８にて、当該演奏データの表示レベル２が指定レベルとされる。そして、情報データのレベルが指定レベル以上であるかが判断される（Ｓ４０）。ここでは、演奏データの表示レベル“２”以上の情報データについて以下の処理が進められる（Ｓ４０がＹｅｓ）。画像モードが切り換えられたかの判断（Ｓ４４）を経て、当該指定レベル以上が指示されている表示指示データに対応する情報データが存在しているかが判断される（Ｓ４６）。上述したように表示レベル３の情報データと表示レベル２の情報データが存在しているため（Ｓ４６がＹｅｓ）、当該表示レベル３の情報データと表示レベル２の情報データとを指定されたエリアに表示する。即ち、図５（Ａ）に示すようにカラオケ用の背景映像９０と合わせて、表示レベル３の情報データ１（カラオケ装置１０からの予約曲）を第１エリア２０ａに表示し、また、表示レベル２の情報データ２（カラオケランキング１０ページ分）を第２エリア２０ｂに表示する（Ｓ４８）。
【００３３】
ここで、図７（Ｄ）に示す歌唱部（演奏データ）の演奏が開始されると、上記ステップ３８にて、当該演奏データの表示レベル３が指定レベルとされる。そして、各情報データのレベルが指定レベル以上かが判断される（Ｓ４０）。ここで、情報データ２（カラオケランキング１０ページ分）は、表示レベルが“２”であり、指定レベル以下であるため（Ｓ４０がＮｏ）、当該情報データ２（カラオケランキング１０ページ分）の映像は、ＣＲＴ２０から消去される（Ｓ４２）。他方、情報データ１（カラオケ装置１０からの予約曲）は、表示レベルが“３”であり、指定レベルと等しいため（Ｓ４０がＹｅｓ）、図４（Ｂ）に示すようにカラオケ用の背景映像９０と合わせて第１エリア２０ａに表示される（Ｓ４８）。
【００３４】
引き続き、図７（Ｄ）に示す間奏（演奏データ）の演奏が開始され、テロップの表示が無くなると、上記ステップ３８にて、当該演奏データの表示レベル１が指定レベルとされる。そして、各情報データのレベルが指定レベル以上かが判断される（Ｓ４０）。ここでは、レベル“１”以上の情報データについて処理が進められる（Ｓ４０がＹｅｓ）。即ち、当該情報データのレベル１以上が指示された情報データがあるかが判断されるが（Ｓ４６）、上述したように表示レベル１、表示レベル２、表示レベル３の情報データが存在しているため（Ｓ４６がＹｅｓ）、当該表示レベル１、表示レベル２、表示レベル３の情報データを指定されたエリアに表示する（Ｓ４８）。即ち、図５（Ｂ）に示すようにカラオケ用の背景映像９０と合わせて、表示レベル３の情報データ１（カラオケ装置１０からの予約曲）を第１エリア２０ａに表示し、表示レベル２の情報データ２（カラオケランキング１０ページ分）を第２エリア２０ｂに表示し、また、表示レベル１の情報データ３（お店のおすすめメニュー３ページ分）を第３エリア２０ｃに表示する。なお、情報データ２（カラオケランキング１０ページ分）と情報データ３（お店のおすすめメニュー３ページ分）とは時間の経過と共に、次のページの情報内容へと自動的に切り換えられて表示される。また、情報データ１（カラオケ装置１０からの予約曲）は、予約曲の入力が行われてから所定時間のみ表示される。
【００３５】
ここで、カラオケ客により図２に示す制御装置３０の前面パネル３０ａに設けられた画面切替ボタン３１ｄが押されると、ステップ４４の判断がＹｅｓとなり分割画面表示が行われる。即ち、映像処理回路３９に設けられた映像切替回路３９ｂが作動し、映像処理回路３９から映像出力端子３５ｃへ出力される映像信号の種類が分割画面表示へ切り替えられる。この分割画面表示中の画像再生の処理について図１０のフローチャートを参照して説明する。
【００３６】
まず、画面を分割して、図６（Ａ）に示すように第１エリア２０ａに情報１データ（カラオケ装置１０からの予約曲）を、第２エリア２０ｂに情報２データ（カラオケランキング１０ページ分）を、第３エリア２０ｃに情報３データ（お店のおすすめメニュー３ページ分）を、また、第４エリア２０ｄにカラオケ用の字幕映像（ティロップ）９１、或いは、カラオケ用の背景画９０を表示する（Ｓ５２）。そして、情報データを読み込み（Ｓ５４）、画面モードの変更のない限り（ステップ５６がＮｏ）、第１乃至第３エリアの画面表示の変更が指示されていないかを判断する（Ｓ５８、Ｓ６２、Ｓ６６）。ここで、カラオケ客により表示する情報の内容変更が指示された場合、例えば、第１エリア２０ａにて天気予報を表示するように指示された際に（Ｓ５８がＹｅｓ）、第１エリア２０ａの画面を書き換えて天気予報の文字情報を表示する（Ｓ６０）。
【００３７】
引き続き、本発明の第２実施態様に係るカラオケ装置１０による画像切り換え処理について図１１を参照して説明する。この第２実施態様のカラオケ装置１０の構成は、図１乃至図３を参照して上述した第１実施態様と同様であるため、説明を省略する。上述した第１実施態様では、曲データ中に表示レベルを含ませたが、この第２実施態様では、歌詞データがあるか否か、即ち、テロップが画像中に表示されるか否かにより表示する情報数を切り換えるように構成されている。
【００３８】
全画面表示が選択されているときの処理について、図１１を参照して説明する。まず、図４（Ａ）に示すようにカラオケ用の背景画９０を全画面に表示する。引き続き、画面モードの切替えが指示されたかの判断（Ｓ５７）を経て、予約曲が入力されたかを判断する（Ｓ７４）。ここで、予約曲が入力されると（Ｓ７４がＹｅｓ）、所定時間が経過するまで（Ｓ７６がＮｏ）、図４（Ｂ）に示すように第１エリア２０ａに予約曲の情報（図７（Ｂ）に示す情報１データ）を表示する（Ｓ７８）。引き続き、歌詞データがあるかを判断する（Ｓ８０）。ここで、曲の間奏部となり、歌詞データ（ＣＲＴ２０上のテロップ）が無くなると（Ｓ８０がＹｅｓ）、図５（Ａ）に示すように第１エリア２０ａに予約曲の情報を表示すると共に、第２エリアに情報データ２（カラオケランキング１０ページ分）を表示する（Ｓ８２）。
【００３９】
また、予約曲が入力されていないとき（Ｓ７４がＮｏ）、或いは、予約曲の表示を所定時間行った以降に（Ｓ７６がＹｅｓ）、歌詞データが無くなると（Ｓ８４がＹｅｓ）、第１エリア２０ａに情報データ２（カラオケランキング１０ページ分）を表示する（Ｓ８６）。なお、カラオケ曲から分割画面表示への変更が指示されると（Ｓ７３がＹｅｓ）、当該分割画面表示処理に移行するが、この分割画面表示は図１０を参照して上述した第１実施態様と同様であるため説明を省略する。
【００４０】
【発明の効果】
以上のように、本発明によれば、カラオケ用の背景映像の表示中に、状況に応じて複数の情報映像を合わせて表示することが可能となる。
【図面の簡単な説明】
【図１】  本発明第１実施形態のカラオケ装置の主要構造を示す外観説明図である。
【図２】  （ａ）は、図１に示すカラオケ装置に備えられた制御装置の前面パネルの説明図であり、（ｂ）は、制御装置の背面パネルの説明図である。
【図３】  カラオケ装置の制御系の構成を示すブロック図である。
【図４】  ＣＲＴ画面上に映し出された背景映像および字幕映像を示す説明図であって、図４（Ａ）は全画面表示を、図４（Ｂ）は１種類の文字情報が表示されている全画面表示を示している。
【図５】  ＣＲＴ画面上に映し出された背景映像および字幕映像を示す説明図であって、図５（Ａ）は２種類の文字情報が表示されている全画面表示を、図５（Ｂ）は３種類の文字情報が表示されている全画面表示を示している。
【図６】  ＣＲＴ画面上に映し出された背景映像および字幕映像を示す説明図であって、図６（Ａ）は３種類の文字情報が表示されている全画面表示を、図６（Ｂ）は分割画面表示を示している。
【図７】  図７（Ａ）は予約曲の内容を、図７（Ｂ）は情報データの内容を、図７（Ｃ）は表示指定データの内容を、図７（Ｃ）は曲データの内容を示す説明図である。
【図８】  本発明の第１実施態様に係る表示指定データの設定処理を示すフローチャートである。
【図９】  本発明の第１実施態様に係る全画面表示の処理を示すフローチャートである。
【図１０】  本発明の第１実施態様に係る分割画面表示の処理を示すフローチャートである。
【図１１】  本発明の第２実施態様に係る全画面表示の処理を示すフローチャートである。
【符号の説明】
１０    カラオケ装置
２０    ＣＲＴ
３０    制御装置
３９    映像処理回路
４０    アンプ
５０    ＬＤプレーヤ
６０    スピーカ
７０    マイク
【図１】
0003662662.tif 000002
【図２】
0003662662.tif 000003
【図３】
0003662662.tif 000004
【図４】
0003662662.tif 000005
【図５】
0003662662.tif 000006
【図６】
0003662662.tif 000007
【図７】
0003662662.tif 000008
【図８】
0003662662.tif 000009
【図９】
0003662662.tif 000010
【図１０】
0003662662.tif 000011
【図１１】
0003662662.tif 000012